(57)【特許請求の範囲】
【請求項１】
下記（ａ）−（ｅ）の特徴を有する傘布収束具。
（ａ）原形状態が平坦であること、
（ｂ）原形状態において、左右端部に止め具（１２，１３）が少なくとも１対設けられていること、
（ｃ）前記止め具（１２，１３）を係合させて筒状に組み立てた状態で、閉じた傘（２）の傘布（２２）を巻き上げるのに必要且つ十分な直径を有すること、
（ｄ）原形状態において、一端が先細りになっており、前記止め具（１２，１３）を係合させて筒状に組み立てた状態で、楕円状の開口（１４）が現れること、
（ｅ）ポリエチレン発泡体からなる外表面（１１ａ）と、撥水性のフィルムからなる内表面（１１ｂ）の２層からなること。
【請求項２】
前記外表面（１１ａ）の上にさらに装飾材を設けて３層とした請求項１記載の傘布収束具。
【請求項３】
全体形状が角の取れた三角形又は野球のホームベースのような形状である請求項１又は２に記載の傘布収束具。
【請求項４】
止め具（１２，１３）が２対設けられている請求項１ないし３のいずれかに記載の傘布収束具。
【請求項５】
宣伝広告や装飾デザイン（１６）を表面に有する請求項１ないし４のいずれかに記載の傘布収束具。
【請求項６】
傘側（２）に設けた面ファスナ（２４）に接合可能な面ファスナ（１５）を傘布収束具（１）に設けた請求項１ないし５のいずれかに記載の傘布収束具。
【発明の詳細な説明】
【技術分野】
【０００１】
本発明は、閉じた傘の傘布を巻いて収束させるのに用いる傘布収束具に関する。
【背景技術】
【０００２】
傘を畳んだとき、各親骨の間に三角巾状に傘布が垂れ下がる。電車やバスの中などではこの傘布が邪魔になったり、他人の迷惑になったりするので、通常、バンドでこの部分を巻きながら締め上げている。しかし、傘を畳むのはたいてい雨が止んだり、雨がかからない場所に入ったりしたときであり、バンドを指で摘んで傘布を締め上げようとするとき、気を付けていても指や手が雨で濡れてしまい、不快な思いをすることがある。
【０００３】
健常な大人でもそうであるから、手に障害を持った人や子供等ではなおさらこの作業は困難であり、指や手だけでなく着衣まで濡らしてしまうことがある。
【０００４】
この問題を解決するために、傘布に手を触れないでこれを巻き上げる傘布収束具がいろいろ提案されている。例えば、下記特許文献１及び２では、リングを使用する。特許文献３−５では、開口部付きリングを使用する。特許文献６では、巻き上げ可能な可塑性薄板を使用する。特許文献７は、洗濯挟みのようなクリップを使用する。
【特許文献１】実開昭６２−１８５５２０号公報
【特許文献２】実用新案登録第３０５８５２３号公報
【特許文献３】実開平７−２０８２８号公報
【特許文献４】実用新案登録第３０４０５７７号公報
【特許文献５】実開昭６０−１３２２号公報
【特許文献６】実開平１−１８０９０８号公報
【特許文献７】実開平２−２０１６号公報
【発明の開示】
【発明が解決しようとする課題】
【０００５】
特許文献６を除き、すべての傘布収束具は、すべて販売時から既に立体的であり、程度の差こそあれ嵩張っている。特許文献６は、可塑性薄板であるが、指掛けが突出しているためやはり立体的である。
【０００６】
また、特許文献４を除き、すべての傘布収束具は、均一幅のリングを使用しており、傘布をどうしたら素早く簡単に巻上げられるか、どうしたら濡れないで済むか、という点についての考察がなされていない。特許文献４は、上下において直径の異なるリングを使用しているが、これは畳んだ状態の傘の形状に合わせただけであって、傘布の巻き上げについて考察がなされていないことについては同様である。
【０００７】
本発明が提供することを目的とする傘布収束具は、販売時にはほぼ平坦な薄板状であり、そのため、嵩張らず、表面を効果的に宣伝広告に利用することができる。さらに、全体の形状を工夫することにより傘布を収束しやすくしている。
【課題を解決するための手段】
【０００８】
本発明の傘布収束具は、
（ａ）原形状態が平坦であること、
（ｂ）原形状態において、左右端部に止め具（１２，１３）が少なくとも１対設けられていること、
（ｃ）前記止め具（１２，１３）を係合させて筒状に組み立てた状態で、閉じた傘（２）の傘布（２２）を巻き上げるのに必要且つ十分な直径を有すること、
（ｄ）原形状態において、一端が先細りになっており、前記止め具（１２，１３）を係合させて筒状に組み立てた状態で、楕円状の開口（１４）が現れること、
（ｅ）ポリエチレン発泡体からなる外表面（１１ａ）と、撥水性のフィルムからなる内表面（１１ｂ）の２層からなること、
を特徴とする。
【発明の効果】
【０００９】
本発明の傘布収束具は、販売時の原形が平坦であるので、嵩張らない。また、この平坦面を利用して、宣伝広告やワンポイントマークなどの装飾デザイン等を印刷したり、予め印刷されたシールを接着させたりすることができる。
【発明を実施するための最良の形態】
【００１０】
好ましくは、原形状態において、一端が先細りになっている。全体形状は大雑把に言えば角の取れた三角形又は野球のホームベースのようになる。そうすると、前記止め具を係合させて筒状に組み立てた状態では、楕円状の開口が現れる。その結果、傘布を回転させながら傘布収束具を引き上げるとき、切り口の楕円により、傘布の抵抗が少なくなる。それでいて、傘布収束具を手のひらに持つときは手のひらを覆うのに十分な面積を確保することができるので、手のひらが濡れにくくなる。
【００１１】
傘布収束具は外表面と内表面の２層で形成されていることが好ましい。外表面は、手で直接握るので手触りがよく、冷たい感触がない方が好ましい。例えば、ポリエチレン発泡体などの合成樹脂発泡体を使用することができる。内表面は、濡れた傘布が直接接触するところなので、撥水性と滑りやすさを有することが傘布をなめらかに巻き上げる上で好ましい。例えば、ポリプロピレンフィルム等の合成樹脂フィルムを使用することができる。
【００１２】
外表面の上に、さらに装飾材を貼り合わせて３層とし、高級感を持たせてもよい。装飾材としては、例えば、天然皮革や合成皮革を使用することができる。
【００１３】
傘布収束具の左右端部には、止め具を少なくとも１対設ける。止め具は、例えば、ボタン、スナップファスナ、面ファスナなどである。止め具は２対設ける方が、位置が安定するので好ましい。
【００１４】
さらに、傘側に面ファスナを取り付けるとともに、これに接合可能な面ファスナを傘布収束具側に設けるのが好ましい。このようにすることにより、傘布収束具を使用しないときには傘布収束具を傘の内側に収納することができる。傘側の面ファスナは骨部に取り付けるのが普通であるが、折り畳み傘等では傘布に取り付けることもできる。
【実施例１】
【００１５】
以下、添付の図面に基づき、本発明の１実施例を説明する。
【００１６】
図１（ａ）は、販売時の傘布収束具１の正面図、同（ｂ）は背面図である。図２は右側面図、図３は図１のｄ−ｄ断面図である。全体はほぼハート型又は野球のホームベース型といえるが、大きく見れば角の取れた三角形状とも見える。
【００１７】
この実施例では、傘布収束具本体１１の最大横幅は１４．５ｃｍ、最大高さは１３ｃｍ、厚みは２ｍｍである。材質は、表側（外表面）はポリエチレン発泡体１１ａ（図４参照）であり、内側（内表面）１１ｂはポリプロピレンフィルムである。図示しないが、外表面に天然皮革や合成皮革等の装飾材を貼り付けて高級感を出すこともできる。
【００１８】
最大横幅を形成している左右端部には、雌雄ボタン１２（ａ，ｂ）；１３（ａ，ｂ）が２対縦方向に設けられている。雌雄ボタン１２（ａ，ｂ），１３（ａ，ｂ）をかけた状態の斜視図を図４に示す。この図４に示すように、ボタンをかけた状態では、楕円状の開口１４が現れる。竹を斜めに切断したときに現れる切り口に似ている。
【００１９】
傘布収束具の上端には面ファスナ１５が設けられていて、後記するように、不使用時に傘本体へ取り付けるのに使用される。
【００２０】
傘布収束具１の中央に直径４ｃｍのワンポイントのデザイン１６が描かれている。これは、その部分だけポリエチレン発泡体１１ａを切り抜いて、内側のポリプロピレンフィルム１１ｂを露出させると共に、ポリエチレン発泡体１１ａとポリプロピレンフィルム１１ｂの間に絵柄デザインシール１８を貼り付けたものである。主として装飾的なものであるが、発泡体部分を減らすことにより筒状に曲げやすくするという効果もある。傘布収束具１の上側にある切り欠きのような窪み１７も、筒状に曲げやすくするという効果がある。
【００２１】
この傘布収束具の使用法について述べる。販売時には平坦な状態のものであるが、使用時には、ボタン１２，１３を留めることにより、図４のように筒状にすることができる。続いて、図５に示すように、右利きの人の場合、
（ａ）左手の手のひらに傘布収束具１を乗せ、
（ｂ）畳んだ傘を右手で持ち、傘２の先端２１を傘布収束具１の中に差し込み、
（ｃ）傘２を回転させながら、傘布収束具１を上に引き上げ、
（ｄ）適当な位置（普通、バンドが置かれている位置である）で留める。
この状態では、傘布２２の摩擦力により、停止状態では傘布収束具１の位置がずれることはない。長傘を例にとったが、折り畳み傘でも使用可能である。
【００２２】
傘布収束具を使用しないときには、傘布収束具１は受け骨２３に付着させておく。前記したように、傘布収束具の上端には面ファスナ１５が取り付けられている。他方、受け骨２３側にも面ファスナ２４が取り付けられている。取付けは、例えば、テープ状の面ファスナを受け骨に巻き付けるようにすればよい（図６（ａ））。受け骨２３に対する面ファスナ２４の取付位置を選んで、畳んだときに邪魔にならないようにする必要がある。
【００２３】
受け骨２３に取り付ける面ファスナ２４は紛失しやすいので、販売時には傘布収束具１の面ファスナ１５に付着させておくのが好ましい。図１、図４では、面ファスナ１５と面ファスナ２４を分離した状態で描いている。
【図面の簡単な説明】
【００２４】
【図１】（ａ）は、販売時の傘布収束具１の正面図である。同（ｂ）は背面図である。
【図２】販売時の傘布収束具１の右側面図
【図３】図１のｄ−ｄ断面図である。
【図４】傘布収束具の組立斜視図である。
【図５】（ａ）−（ｃ）は、傘布収束具の使用法を示す説明図である。
【図６】（ａ）−（ｃ）は、傘布収束具の収納法を示す説明図である。
【符号の説明】
【００２５】
１     傘布収束具
２     傘
１１   傘布収束具本体
１１ａ ポリエチレン発泡体
１１ｂ ポリプロピレンフィルム
１２，１３  ボタン
１４   楕円状開口
１５   傘布収束具側の面ファスナ
１６   装飾デザイン
２２   傘布
２３   骨
２４   傘側の面ファスナ
【図１】
0004601526.tif 000002
【図２】
0004601526.tif 000003
【図３】
0004601526.tif 000004
【図４】
0004601526.tif 000005
【図５】
0004601526.tif 000006
【図６】
0004601526.tif 000007